(57)【要約】      （修正有）【課題】美観に優れ受信性能の良好な時計を提供する。【解決手段】開口を備えたケースと、ケース内に収容されて時刻を計時し、計時した時刻を表示窓側に表示するムーブメントと、光透過性を有する材料を用いて形成され、ケースに設けられて表示窓を閉塞する風防１０９と、ケース内の任意の位置に設けられた同心円状の複数のアンテナ配線１１１と、複数のアンテナ配線１１１のうちの少なくとも２本のアンテナ配線１１１に接触し、導電性を有する材料を文字または記号または図形の少なくともいずれかに成形した導電性部材３０１ａによって任意の情報を表記する表記部１１２と、を備えた時計を構成した。【選択図】図３
2019117198.tif 000002
【特許請求の範囲】
【請求項１】
表示窓を備えたケースと、
前記表示窓を閉塞する風防と、
前記ケース内に設けた文字板とを備え、
文字または記号または図形の少なくともいずれかを表記する表記部と、
前記ケース内の任意の位置に設けられたアンテナと、を有する時計であって、
前記表記部は、導電性の部材であり、
前記表記部は、アンテナ配線に接触し、
前記アンテナは、前記風防における前記文字板側に設けられ、
前記アンテナは、前記風防上に前記表記部、前記アンテナ配線の順に設けられている、
ことを特徴とする時計。
【請求項２】
表示窓を備えたケースと、
前記表示窓を閉塞する風防と、
前記ケース内に設けた文字板とを備え、
文字または記号または図形の少なくともいずれかを表記する表記部と、
前記ケース内の任意の位置に設けられたアンテナと、を有する時計であって、
前記表記部は、導電性の部材であり、
前記表記部は、アンテナ配線に接触し、
前記アンテナは、前記文字板における前記風防側に設けられ、
前記アンテナは、前記文字板上に前記アンテナ配線、前記表記部の順に設けられている、
ことを特徴とする時計。
【請求項３】
前記アンテナは、前記風防における前記文字板側であって当該風防の周縁部に設けられていることを特徴とする請求項１に記載の時計。
【請求項４】
前記アンテナは、前記文字板における前記風防側であって当該文字板の周縁部に設けられていることを特徴とする請求項２に記載の時計。
【請求項５】
前記表記部は、複数の都市名または地域名を時差に基づいた順序で配列した都市表示であることを特徴とする請求項１〜４のいずれか一つに記載の時計。
【請求項６】
前記表記部は、基準時に対する時差を示す時差表示であることを特徴とする請求項１〜４のいずれか一つに記載の時計。
【請求項７】
前記表記部は、時刻を示す時刻表示であることを特徴とする請求項１〜４のいずれか一つに記載の時計。
【請求項８】
前記複数のアンテナ配線の間に設けられて、当該複数のアンテナ配線に接続するメッシュ配線または透明電極を備えたことを特徴とする請求項１〜７のいずれか一つに記載の時計。
【発明の詳細な説明】
【技術分野】
【０００１】
この発明は、電波を受信する機能を備えた時計に関する。
【背景技術】
【０００２】
従来、標準電波などの電波を受信する時計に用いられるアンテナに関し、電波の受信性能の向上を図るための各種の技術があった。具体的には、従来、たとえば、時計ガラスの下面に施した加飾印刷の上に導電性インク層を設け、導電性インク層の上に金属メッキ層を設けることによって形成したアンテナに関する技術があった（たとえば、下記特許文献１を参照。）。
【０００３】
また、具体的には、従来、たとえば、導電性のケースに設けられた表示窓における文字板側に、文字板と所定の距離を離間して周回する金属パターンを設けたアンテナ装置に関する技術があった（たとえば、下記特許文献２を参照。）。また、具体的には、従来、たとえば、全体として積層方向を軸線方向とする旋回構造（或る場所を周回する構造）を有する導体層を設けるようにした技術があった（たとえば、下記特許文献３を参照。）。
【０００４】
また、具体的には、従来、たとえば、カバーガラスとグランド板との間に、リング状の誘電体基材および誘電体基材の表面に形成されるリング状のアンテナ電極を有するＧＰＳアンテナを設け、カバーガラス側から入る電波をグランド板により反射させてアンテナ電極に入力するようにした技術があった（たとえば、下記特許文献４を参照。）。また、具体的には、従来、たとえば、アンテナを文字などの形状とし、アンテナ自体に情報伝達の機能を持たせた技術があった（たとえば、下記特許文献５を参照。）。
【先行技術文献】
【特許文献】
【０００５】
【特許文献１】特開平０９−３０７３２９号公報
【特許文献２】特開２００８−２０５５３１号公報
【特許文献３】特開２００３−３１５４７５号公報
【特許文献４】特許第５４９３５２７号公報
【特許文献５】特開２０１０−１８６３０６号公報
【発明の概要】
【発明が解決しようとする課題】
【０００６】
しかしながら、時計は装飾品としての用途も重要視されているところ、従来の技術では、美観（装飾性）についての配慮に劣るという問題があった。また、従来の技術は、受信性能を確保するための、装飾性に関与しない構成が使用者の肉眼によって容易に視認され、美観に劣るという問題があった。
【０００７】
これに対し、美観を確保するために文字板の裏側などにアンテナを設けると、受信性能が低下し、低下した受信性能を補うためアンテナを大きくすると時計の小型化・薄型化を図ることが難しくなってしまう。また、美観のためにアンテナを細くすることも考えられるが、配線抵抗が高くなるため伝搬電流の損失が起こり、充分なアンテナ特性を得ることが難しくなってしまう。
【０００８】
また、アンテナが受信する電波の周波数はアンテナの長さによって定まるところ、上述した特許文献５に記載された技術のように、アンテナを文字などの形状とし、アンテナ自体に情報伝達の機能を持たせるようにした従来の技術を時計に応用すると、デザインの自由度が制限され、装飾性を確保することが難しくなる。
【０００９】
この発明は、上述した従来技術による問題点を解消するため、美観に優れ受信性能の良好な時計を提供することを目的とする。
【課題を解決するための手段】
【００１０】
上述した課題を解決し、目的を達成するため、この発明にかかる時計は、表示窓を備えたケースと、前記表示窓を閉塞する風防と、前記ケース内に設けた文字板とを備え、文字または記号または図形の少なくともいずれかを表記する表記部と、前記ケース内の任意の位置に設けられたアンテナと、を有する時計であって、前記表記部は、導電性の部材であり、前記表記部は、アンテナ配線に接触し、前記アンテナは、前記風防における前記文字板側に設けられ、前記アンテナは、前記風防上に前記表記部、前記アンテナ配線の順に設けられていることを特徴とする。
【００１１】
また、この発明にかかる時計は、表示窓を備えたケースと、前記表示窓を閉塞する風防と、前記ケース内に設けた文字板とを備え、文字または記号または図形の少なくともいずれかを表記する表記部と、前記ケース内の任意の位置に設けられたアンテナと、を有する時計であって、前記表記部は、導電性の部材であり、前記表記部は、アンテナ配線に接触し、前記アンテナは、前記文字板における前記風防側に設けられ、前記アンテナは、前記文字板上に前記アンテナ配線、前記表記部の順に設けられていることを特徴とする。
【００１２】
また、この発明にかかる時計は、上記の発明において、前記アンテナは、前記風防における前記文字板側であって当該風防の周縁部に設けられていることを特徴とする。
【００１３】
また、この発明にかかる時計は、上記の発明において、前記アンテナは、前記文字板における前記風防側であって当該文字板の周縁部に設けられていることを特徴とする。
【００１４】
また、この発明にかかる時計は、上記の発明において、前記表記部が、複数の都市名または地域名を時差に基づいた順序で配列した都市表示であることを特徴とする。
【００１５】
また、この発明にかかる時計は、上記の発明において、前記表記部が、基準時に対する時差を示す時差表示であることを特徴とする。
【００１６】
また、この発明にかかる時計は、上記の発明において、前記表記部が、時刻を示す時刻表示であることを特徴とする。
【００１７】
また、この発明にかかる時計は、上記の発明において、前記複数のアンテナ配線の間に設けられて、当該複数のアンテナ配線に接続するメッシュ配線または透明電極を備えたことを特徴とする。
【発明の効果】
【００１８】
この発明にかかる時計によれば、美観に優れ受信性能の良好な時計を提供することができるという効果を奏する。
【図面の簡単な説明】
【００１９】
【図１】この発明にかかる実施の形態１の時計の構成を示す説明図（その１）である。
【図２】この発明にかかる実施の形態１の時計の構成を示す説明図（その２）である。
【図３】この発明にかかる実施の形態１の風防の構成を示す説明図（その１）である。
【図４Ａ】この発明にかかる実施の形態１の風防の構成を示す説明図（その２）である。
【図４Ｂ】この発明にかかる実施の形態１の風防の構成を示す説明図（その３）である。
【図５】この発明にかかる実施の形態２の時計が備える風防の構成を示す説明図である。
【図６】アンテナ配線と時差表示との位置関係を示す説明図である。
【図７】この発明にかかる実施の形態３の時計が備える風防の構成を示す説明図である。
【発明を実施するための形態】
【００２０】
以下に添付図面を参照して、この発明にかかる時計の好適な実施の形態を詳細に説明する。
【００２１】
＜実施の形態１＞
まず、この発明にかかる実施の形態１の時計の構成について説明する。この発明にかかる実施の形態の時計１００は、ＧＰＳ衛星からの電波を受信するＧＰＳ受信動作、他の電子機器との通信をおこなう通信動作および標準時刻情報信号を含む標準電波の受信動作の少なくともいずれか一つをおこなうことができる。
【００２２】
（時計の構成）
図１および図２は、この発明にかかる実施の形態１の時計の構成を示す説明図である。図１においては、この発明にかかる実施の形態１の時計を正面から見た状態を示している。図２においては、この発明にかかる実施の形態１の時計を、図１における紙面表裏方向に沿って切断した断面を模式的に示している。
【００２３】
図１および図２において、時計１００は、外装をなすケース（外装ケース）１０１を備えている。ケース１０１は、たとえば、金属材料を用いて形成され、両端が開口した略円筒形状をなす。この実施の形態において、ケース１０１の両端に設けられた開口のうちの一方の開口（図２における紙面上側の開口）１０１ａによって、この発明にかかる実施の形態の表示窓を実現することができる。
【００２４】
ケース１０１は、両端が開口した略円筒形状に限るものではない。ケース１０１は、少なくとも軸心方向における一端側（表側）に、表示窓を実現する開口１０１ａを備えていればよく、軸心方向における他端側（裏側）が塞がれた有底円筒形状（いわゆるワンピース構造）であってもよい。
【００２５】
ケース１０１には、操作部１０２が設けられている。操作部１０２は、たとえば、竜頭によって実現することができる。ケース１０１に対する竜頭の位置は、ケース１０１から引っ張られることにより、複数段（たとえば、３段）に調整することができる。また、操作部１０２は、たとえば、ボタンなどによって実現してもよい。
【００２６】
ケース１０１の内側には、文字板１０３が設けられている。文字板１０３の外周部には、見返しリング１０４を有している。文字板１０３や見返しリング１０４は、たとえば、同系色の金属材料を用いて形成することができる。あるいは、文字板１０３や見返しリング１０４は、たとえば、プラスチックなどと称される高分子材料を用いて形成してもよい。文字板１０３や見返しリング１０４は、それぞれが異なる材料を用いて形成されていてもよく、また、それぞれが異なる系統の色の材料を用いて形成されていてもよい。
【００２７】
文字板１０３には、時刻を示す指針１０６の位置、すなわち、当該指針１０６が指示する時刻を示すインデックス（指標）１０７が設けられている。指針１０６は、具体的には、たとえば、時針１０６ａ、分針１０６ｂ、秒針１０６ｃなどによって実現することができる。指針１０６は、たとえば、金属材料やプラスチックなどと称される高分子材料を用いて形成することができる。
【００２８】
インデックス１０７は、文字板１０３において、指針１０６の軸心を中心とする円周上に配置されている。インデックス１０７は、たとえば、文字、数字、記号などによって実現することができる。インデックス１０７は、文字、数字、記号に限るものではなく、たとえば、文字板１０３に設けられた突起によって実現してもよい。インデックス１０７は、たとえば、金属材料を用いて形成することができる。あるいは、インデックス１０７は、文字板１０３にプリントされたものであってもよいし、金属などの別部材を設けることによって実現されるものであってもよい。
【００２９】
インデックス１０７は、たとえば、指針１０６の回転中心を中心とする同一円周上に配置することができる。この場合、たとえば、各インデックス１０７は、指針１０６の回転範囲、すなわち、指針１０６が回転することによる当該指針１０６の先端の軌跡がなす円よりも、少なくとも一部が外周側に位置するように配置することができる。
【００３０】
インデックス１０７は、すべてのインデックス１０７が、指針１０６の回転中心を中心とする同一円周上に配置されるものに限らない。この発明にかかる実施の形態の時計１００において、インデックス１０７は、たとえば、少なくとも一部のインデックス１０７が指針１０６の回転範囲内に配置され、別の一部のインデックス１０７が指針１０６の回転範囲よりも外周側に配置されるものであってもよい。
【００３１】
時計１００において、指針１０６は、インデックス１０７が設けられた文字板１０３とともに時刻表示部を構成する。時刻表示部は、駆動機構によって指針１０６を回動（運針）させることによって時刻を表示する。時計１００においては、指針１０６として、時針１０６ａ、分針１０６ｂ、秒針１０６ｃに加えて、日板を備えていてもよい。
【００３２】
略円筒形状をなすケース１０１の一端側（表側）には、風防１０９が設けられている。風防１０９は、ベゼル１１０によって周縁を支持されている。風防１０９は、光透過性を有する材料を用いて形成されており、略円板形状をなす。具体的には、風防１０９は、たとえば、サファイヤガラス（サファイヤクリスタル）、無機ガラス（ミネラルガラス）、アクリルガラス（アクリルなどのプラスチック）などの材料を用いて形成することができる。ベゼル１１０は、風防１０９の直径と略同一の内径の環形状をなし、たとえば、金属材料を用いて形成することができる。
【００３３】
ケース１０１の他端側（裏側）には、裏蓋部材２０１が設けられている。裏蓋部材２０１は、たとえば、金属材料を用いて形成することができる。あるいは、裏蓋部材２０１は、プラスチックなどと称される高分子材料を用いて形成されていてもよい。裏蓋部材２０１は、スクリューバック方式、はめ込み方式、ネジ蓋方式など、公知の各種の技術を用いることによってケース１０１に取り付けることができる。ケース１０１に対する裏蓋部材２０１の取り付け方法については、公知の各種の技術を用いて容易に実現可能であるため、説明を省略する。
【００３４】
ケース１０１と裏蓋部材２０１と文字板１０３とによって囲まれる空間には、指針１０６を回転駆動する輪列やモータなどによって構成される駆動機構（いずれも図示を省略する）が設けられている。指針１０６は、輪列を介してモータに連結されており、当該モータの駆動力を受けて回転する。
【００３５】
時計１００は、文字板１０３の表面側すなわち文字板１０３よりも開口１０１ａ側において駆動機構によって指針１０６を回転駆動し、インデックス１０７に対する指針１０６の位置によって、現在の時刻などをアナログ表示する。時計１００においては、インデックス１０７が設けられた文字板１０３、指針１０６、駆動機構（輪列やモータ）などによって、この発明にかかる実施の形態１のムーブメントを実現することができる。
【００３６】
時計１００は、図示を省略する制御部を備えている。制御部は、モータを駆動したり、外部から受信した電波を電気エネルギーに変換したり、受信した電波に基づいて指針１０６の位置を調整したりする。制御部は、具体的には、たとえば、ＣＰＵやメモリを備えたマイクロコンピュータによって実現することができる。
【００３７】
風防１０９の裏面１０９ａ、すなわち、風防１０９におけるムーブメント側の面１０９ａには、アンテナ配線１１１と、表記部１１２とが設けられている。以下に、図３、図４Ａおよび図４Ｂを用いて、アンテナ配線１１１および表記部１１２を含む、風防１０９の構成について説明する。
【００３８】
（風防１０９の構成）
風防１０９の構成について説明する。図３、図４Ａおよび図４Ｂは、この発明にかかる実施の形態１の風防１０９の構成を示す説明図である。図３においては、この発明にかかる実施の形態１の風防１０９を、時計１００の正面から見た状態を示している。図４Ａは図３におけるＡ−Ａ断面を模式的に示しており、図４Ｂは図３におけるＢ−Ｂ断面を模式的に示している。
【００３９】
図３、図４Ａおよび図４Ｂにおいて、風防１０９の裏面、すなわち風防１０９におけるムーブメント側の面（裏面）１０９ａは、ケース１０１の内側に位置しており、文字板１０３に対向している。風防１０９の裏面１０９ａには、都市表示３０１が設けられている。都市表示３０１は、この発明にかかる実施の形態１の表記部１１２を実現する。
【００４０】
都市表示３０１は、複数の都市名または地域名を、時差に基づいた順序で風防１０９の周縁部に沿って配列することにより構成されている。時差は、たとえば、ＵＴＣ（Ｃｏｏｒｄｉｎａｔｅｄ  Ｕｎｉｖｅｒｓａｌ  Ｔｉｍｅ：協定世界時）に基づいて特定することができる。ＵＴＣは、世界共通の標準時であり、セシウム原子時計によって刻まれる国際原子時をもとにして常に正確な時刻をあらわす。ＵＴＣは、国際原子時と、地球の自転に基づく時刻（世界時）とのずれを補正するために、うるう秒で調整された時刻をあらわす。
【００４１】
実施の形態１の都市表示３０１は、都市表示３０１を構成する各都市名または各地域名によって特定される都市または地域における時刻とＵＴＣと時差に基づいて、当該時差が小さい都市または地域ほど１２時の位置（図３における紙面上側）に近い位置に位置するように配列されている。都市表示３０１は、１周で２４時間の時差をあらわす。具体的には、図３に示した都市表示３０１は、たとえば、１２時の位置に表示された都市（ＬＯＮ：ロンドン）と、６時の位置に表示された都市（ＡＫＬ：オークランド）とは１２時間の時差があることを示している。
【００４２】
都市表示３０１は、導電性を有する材料を用いて形成された導電性部材３０１ａによって実現される。導電性部材３０１ａは、複数設けられている。具体的には、都市表示３０１をなす導電性部材３０１ａは、たとえば、導電性を有する材料を印刷によって風防１０９の裏面１０９ａに設けることによって形成することができる。より具体的には、都市表示３０１をなす導電性部材３０１ａは、たとえば、パット印刷やシルクスクリーン印刷（加飾印刷）などの技術を用いた印刷によって、風防１０９の裏面１０９ａに設けることができる。
【００４３】
また、具体的には、都市表示３０１をなす導電性部材３０１ａは、たとえば、金属製など導電性を有する材料を用いて形成されたエンブレムや、金属製など導電性を有する材料を用いて形成されたシート状部材をカッティングした部材などを風防１０９の裏面１０９ａに貼り付けるなどして設けることによって実現してもよい。
【００４４】
都市表示３０１をなす導電性部材３０１ａは、文字板１０３や見返しリング１０４の色の反対色の材料を用いて形成する。これにより、都市表示３０１の良好な視認性を確保することができる。文字板１０３の色と見返しリング１０４の色とが異なる場合、都市表示３０１をなす導電性部材３０１ａは、文字板１０３および見返しリング１０４のうち、指針１０６の軸心方向において都市表示３０１と重なる部分の色の反対色の材料を用いて形成することが好ましい。これにより、都市表示３０１の良好な視認性を確保することができる。
【００４５】
また、風防１０９の裏面１０９ａには、アンテナ配線１１１が設けられている。アンテナ配線１１１は、同心円状に複数（この実施の形態１の時計１００においては２本）設けられている。この実施の形態１においては、もっとも外周側のアンテナ配線１１１（第１のアンテナ配線３０２）と、当該アンテナ配線１１１よりも内周側のアンテナ配線１１１（第２のアンテナ配線３０３）と、の２本のアンテナ配線１１１を備えている。アンテナ配線１１１は、風防１０９の周縁部に設けられている。アンテナ配線１１１は、それぞれ、風防１０９の周縁に沿って周回する形状をなす。
【００４６】
アンテナ配線１１１は、都市表示３０１をなす導電性部材３０１ａに接触している。実施の形態１の時計１００においては、アンテナ配線１１１は、都市表示３０１がなす文字（導電性部材３０１ａ）の上端および下端に、それぞれ接触している。具体的に、アンテナ配線１１１のうち、第１のアンテナ配線３０２は都市表示３０１がなす文字（導電性部材３０１ａ）の上端に接触しており、第２のアンテナ配線３０３は都市表示３０１がなす文字（導電性部材３０１ａ）の下端に接触している。
【００４７】
第１のアンテナ配線３０２および第２のアンテナ配線３０３は、たとえば、図４Ａに示すように、風防１０９の厚さ方向において、都市表示３０１をなす導電性部材３０１ａと重なりあうことによって接触させることができる。この場合、都市表示３０１をなす導電性部材３０１ａが設けられていない部分では、図４Ｂに示すように、風防１０９の裏面１０９ａには、第１のアンテナ配線３０２および第２のアンテナ配線３０３のみが存在する。
【００４８】
アンテナ配線１１１は、それぞれ、導電性を有する材料を用いて形成されている。これにより、アンテナ配線１１１とは、都市表示３０１をなす導電性部材３０１ａと電気的に接続されている。ここに、アンテナ配線１１１（第１のアンテナ配線３０２および第２のアンテナ配線３０３）と、都市表示３０１（都市表示３０１をなす導電性部材３０１ａ）と、によって、外部からの電波を受信するアンテナが構成される。
【００４９】
具体的には、アンテナ配線１１１は、たとえば、メタルメッシュにより形成することができる。あるいは、アンテナ配線１１１はワイドギャップ半導体を用いて形成してもよく、たとえば、酸化インジウム（ＩＩＩ）（Ｉｎ2Ｏ3）と酸化スズ（ＩＶ）（ＳｎＯ2）の無機化合物である、ＩＴＯ（ｔｉｎ−ｄｏｐｅｄ  ｉｎｄｉｕｍ  ｏｘｉｄｅ：酸化インジウムスズ）などの透明導電膜を用いることができる。
【００５０】
また、アンテナ配線１１１は、たとえば、導電性を有する材料を印刷によって風防１０９の裏面１０９ａに設けることによって形成することができる。あるいは、具体的には、アンテナ配線１１１は、たとえば、ワイヤを風防１０９の周縁に沿って周回する形状に引き回すことによって形成されるものであってもよい。あるいは、具体的には、アンテナ配線１１１は、たとえば、レーザー蒸着法によって形成されるものであってもよい。
【００５１】
アンテナ配線１１１のうち、都市表示３０１と重なる位置におけるアンテナ配線１１１の太さは、都市表示３０１が示す文字の太さ以下とされている。これにより、アンテナ配線１１１を都市表示３０１によって隠すことができ、使用者が文字板１０３を見る際に、都市表示３０１の下側からはみ出したアンテナ配線１１１が目視されることによって美観（審美性）が低下することを防止できる。
【００５２】
アンテナ配線１１１のうち、都市表示３０１と重ならない位置におけるアンテナ配線１１１の太さは、都市表示３０１が示す文字の太さよりも十分に細い太さとされている。具体的には、都市表示３０１と重ならない位置におけるアンテナ配線１１１の太さは、たとえば、３０μｍ以下であることが好ましい。これにより、アンテナ配線１１１を見えづらくして、アンテナ配線１１１が目視されることによって美観（審美性）が低下することを防止できる。
【００５３】
アンテナ配線１１１を形成する材料は、文字板１０３や見返しリング１０４の色と同系色の材料を用いて形成する。これにより、アンテナ配線１１１を目立ちにくくすることができる。文字板１０３の色と見返しリング１０４の色とが異なる場合、アンテナ配線１１１をなす導電性部材３０１ａは、文字板１０３および見返しリング１０４のうち、指針１０６の軸心方向において都市表示３０１と重なる部分の色と同系色の材料を用いて形成することが好ましい。これにより、アンテナ配線１１１を目立ちにくくすることができる。
【００５４】
この実施の形態１の時計１００において、アンテナ配線１１１および都市表示３０１は、いずれも、導電性部材３０１ａを風防１０９の裏面１０９ａに印刷することによって設けられている。この場合、時計１００の製造に際しては、風防１０９の裏面１０９ａに対して都市表示３０１を先に印刷し、つぎにアンテナ配線１１１を印刷する。風防１０９の裏面１０９ａに対して「都市表示３０１」→「アンテナ配線１１１」の順序で印刷することにより、時計１００においては、アンテナ配線１１１よりも都市表示３０１が表側に位置することになる。これにより、都市表示３０１とアンテナ配線１１１とを重複する位置に設ける場合にも、都市表示３０１の視認性を確保することができる。
【００５５】
このような時計１００においては、電波の受信に際してアンテナに電流が流れると、都市表示３０１を介して第１のアンテナ配線３０２と第２のアンテナ配線３０３とが短絡される。これにより、第１のアンテナ配線３０２の電位と第２のアンテナ配線３０３の電位を等しくすることができる。つまり、第１のアンテナ配線３０２と第２のアンテナ配線３０３とを視認しにくい細さで形成し、この２つのアンテナ配線１１１どうしを、都市表示３０１を兼ねた導電性部材３０１ａによって短絡することによって、アンテナ配線１１１どうしの間が導電性部材３０１ａを残して中貫きとされた中貫きパターンの単一のアンテナを構成することができる。これにより、アンテナ配線１１１を視認しにくくできるとともに、視認しにくいアンテナ配線のみでアンテナ構成を構成した場合と比較して、配線抵抗を低くすることができる。つまり、アンテナの伝搬電流の損失を抑えて充分なアンテナ特性を確保することができる。
【００５６】
以上説明したように、この発明にかかる実施の形態１の時計１００は、表示窓を実現する開口１０１ａを備えたケース１０１と、ケース１０１内に収容されて時刻を計時し、計時した時刻を表示窓側に表示するムーブメントと、光透過性を有する材料を用いて形成され、ケース１０１に設けられて表示窓を閉塞する風防１０９と、ケース１０１内の任意の位置に設けられた同心円状の複数のアンテナ配線１１１と、複数のアンテナ配線１１１のうちの少なくとも２本のアンテナ配線１１１に接触し、導電性を有する材料を文字または記号または図形の少なくともいずれかに成形した導電性部材３０１ａによって任意の情報を表記する表記部１１２（たとえば、都市表示３０１、時差表示５０１（図５参照）、時刻を示す数字７０１（図７参照）など）と、を備えたことを特徴としている。
【００５７】
この発明にかかる実施の形態１の時計１００によれば、複数のアンテナ配線１１１どうしを表記部１１２を構成する導電性部材３０１ａによって短絡し、同一の導電性部材３０１ａに接触する複数のアンテナ配線１１１の電位を等しくすることができる。これにより、複数のアンテナ配線１１１と、これらのアンテナ配線１１１に接触する導電性部材３０１ａとによって、アンテナ配線１１１どうしの間が導電性部材３０１ａを残して中貫きとされた中貫きパターンのアンテナを構成することができる。
【００５８】
アンテナが受信する電波の周波数は当該アンテナの長さによって定まり、アンテナ配線１１１どうしの間にも導電性を有する材料を設けたベタパターンのアンテナにおいては、電波の受信に際して周縁部分に強い電流が流れる。このため、中貫きパターンのアンテナにおいても、ベタパターンのアンテナと比較して受信性能を低下させることなく、当該ベタパターンのアンテナと同じ周波数の電波を受信することができる。
【００５９】
このような中貫きパターンのアンテナにおける各アンテナ配線１１１を肉眼によって視認しにくい程度に細くすることにより、目視により認識可能なアンテナ配線１１１が存在することによって装飾性を低下させることなく、所望の周波数の電波を良好に受信することができる。これによって、この発明にかかる実施の形態の時計１００によれば、装飾性の確保および受信性能（受信感度）の確保の両立を図ることができ、美観に優れ受信性能の良好な時計１００を提供することができる。
【００６０】
また、この発明にかかる実施の形態１の時計１００は、複数のアンテナ配線１１１が、それぞれ、風防１０９におけるムーブメント側すなわち風防１０９の裏面１０９ａであって当該風防１０９の周縁部に設けられ、当該風防１０９の周縁に沿って周回する形状をなしており、表記部１１２が、風防１０９の裏面１０９ａであって当該風防１０９の周縁部に設けられたことを特徴としている。
【００６１】
この発明にかかる実施の形態１の時計１００によれば、風防１０９の裏面１０９ａであって当該風防１０９の周縁部にアンテナ配線１１１および表記部１１２を設けることにより、文字板１０３の表面側に表示される時刻の視認性を低下させることなく良好な受信性能を確保することができる。これにより、美観に優れ受信性能の良好な時計１００を提供することができる。
【００６２】
また、この発明にかかる実施の形態１の時計１００によれば、風防１０９の裏面１０９ａにアンテナ配線１１１および表記部１１２を設けることにより、風防１０９によってアンテナ配線１１１および表記部１１２を保護することができ、アンテナ配線１１１および表記部１１２が外部からの衝撃などによって損傷することを防止できる。これにより、時計１００の耐久性を確保することができる。
【００６３】
また、この発明にかかる実施の形態１の時計１００は、アンテナ配線１１１および表記部１１２が、導電性を有する材料を、「アンテナ配線１１１」→「表記部１１２」の順で風防１０９に印刷することによって設けられていることを特徴としている。
【００６４】
この発明にかかる実施の形態１の時計１００によれば、風防１０９の裏面１０９ａへの印刷によってアンテナ配線１１１および表記部１１２を設けることにより、高精度なアンテナ配線１１１および表記部１１２を容易に形成することができる。これにより、時計１００の製造における製造者の負担軽減を図ることができる。
【００６５】
また、この発明にかかる実施の形態１の時計１００は、表記部１１２が、複数の都市名または地域名を時差に基づいた順序で配列した都市表示３０１であることを特徴としている。
【００６６】
この発明にかかる実施の形態１の時計１００によれば、時計１００の機能の実現に用いる都市表示３０１を導電性を有する材料を用いて形成し、表記部１１２とすることによって、第１のアンテナ配線３０２と第２のアンテナ配線３０３とを短絡するための部材を別途設けることなく、第１のアンテナ配線３０２と第２のアンテナ配線３０３とを短絡することができる。これにより、文字板１０３などの視認性が低下することを防止でき、美観に優れ受信性能の良好な時計１００を提供することができる。
【００６７】
＜実施の形態２＞
つぎに、この発明にかかる実施の形態２の時計について説明する。実施の形態２においては、上述した実施の形態１と同一部分は同一符号で示し、説明を省略する。
【００６８】
図５は、この発明にかかる実施の形態２の時計が備える風防の構成を示す説明図である。図５においては、この発明にかかる実施の形態２の時計１００が備える風防１０９を、時計１００の正面から見た状態を示している。図５において、この発明にかかる実施の形態２の時計１００が備える風防１０９は、裏面１０９ａに、時差表示５０１が設けられている。時差表示５０１は、この発明にかかる実施の形態２の表記部１１２を実現する。
【００６９】
時差表示５０１は、上記の都市表示３０１と同様に、導電性を有する材料を用いて形成された導電性部材３０１ａによって実現される。時差表示５０１をなす導電性部材３０１ａは、たとえば、上記のような各種の技術を用いた印刷によって、風防１０９の裏面１０９ａに設けられている。あるいは、時差表示５０１をなす導電性部材３０１ａは、たとえば、金属製など導電性を有する材料を用いて形成されたエンブレムや、金属製など導電性を有する材料を用いて形成されたシート状部材をカッティングした部材などを風防１０９の裏面１０９ａに貼り付けるなどして設けることによって実現してもよい。
【００７０】
時差表示５０１は、基準時であるＵＴＣに対する時差の大きさを示す文字や数字を形成する導電性部材３０１ａを、当該時差の大きさに基づいた順序で風防１０９の周縁部に沿って配列することにより構成されている。実施の形態２の時差表示５０１は、ＵＴＣに対する時差が小さいことを示す文字や数字を形成する導電性部材３０１ａほど、１２時の位置に近い位置に位置するように配列されている。時差表示５０１は、１周で２４時間の時差をあらわす。具体的には、図５に示した時差表示５０１は、たとえば、１２時の位置に表示されたＵＴＣに対して、６時の位置に表示された時差が１２時間であることを示している。
【００７１】
時差表示５０１をなす導電性部材３０１ａは、文字板１０３や見返しリング１０４の色の反対色の材料を用いて形成する。これにより、時差表示５０１の良好な視認性を確保することができる。文字板１０３の色と見返しリング１０４の色とが異なる場合、時差表示５０１をなす導電性部材３０１ａは、文字板１０３および見返しリング１０４のうち、指針１０６の軸心方向において時差表示５０１と重なる部分の色の反対色の材料を用いて形成することが好ましい。これにより、時差表示５０１の良好な視認性を確保することができる。
【００７２】
また、風防１０９の裏面１０９ａには、アンテナ配線１１１が設けられている。この実施の形態２においては、もっとも外周側のアンテナ配線１１１である第１のアンテナ配線３０２と、当該第１のアンテナ配線３０２よりも内周側のアンテナ配線１１１である第２のアンテナ配線３０３と、が設けられている。アンテナ配線１１１のうち、時差表示５０１と重なる位置におけるアンテナ配線１１１の太さは、時差表示５０１が示す文字の太さ以下とされている。これにより、時差表示５０１と重なる位置におけるアンテナ配線１１１を時差表示５０１によって隠すことができ、使用者が文字板１０３を見る際に、時差表示５０１の下側からはみ出したアンテナ配線１１１が目視されることによって美観（審美性）が低下することを防止できる。
【００７３】
アンテナ配線１１１のうち、時差表示５０１と重ならない位置におけるアンテナ配線１１１の太さは、時差表示５０１が示す文字の太さよりも十分に細い太さとされている。具体的には、時差表示５０１と重ならない位置におけるアンテナ配線１１１の太さは、たとえば、３０μｍ以下であることが好ましい。これにより、アンテナ配線１１１を見えづらくして、アンテナ配線１１１が目視されることによって美観（審美性）が低下することを防止できる。
【００７４】
アンテナ配線１１１と時差表示５０１とが接触する位置は、時差表示５０１がなす文字の上端および下端に限るものではない。アンテナ配線１１１の位置（第１のアンテナ配線３０２と第２のアンテナ配線３０３との間隔）は、時差表示５０１などの表記部１１２がなすパターンに応じて、たとえば、図６に示すように調整してもよい。
【００７５】
図６は、アンテナ配線１１１と時差表示５０１との位置関係を示す説明図である。図６において、アンテナ配線１１１は、時差表示５０１をなす導電性部材３０１ａが示す文字と、当該文字の上下方向における中央付近で接触している。具体的に、図６に示した第２のアンテナ配線３０３は、図５に示した時差表示５０１における第２のアンテナ配線３０３よりも第１のアンテナ配線３０２に近い位置、すなわち、図５に示した時差表示５０１における第２のアンテナ配線３０３よりも外周縁側に設けられている。これにより、図６に示した第２のアンテナ配線３０３は、文字の上下方向における中央付近で接触している。
【００７６】
時差表示５０１において、時差表示５０１をなす導電性部材３０１ａが示す文字の上下方向における中央付近には、「＋」および「−」の記号が配置されている。このため、アンテナ配線１１１と時差表示５０１との接触位置を、時差表示５０１をなす導電性部材３０１ａが示す文字の上下方向における中央付近とするように、第２のアンテナ配線３０３の位置を調整することにより、アンテナ配線１１１と時差表示５０１との接触位置を時差表示５０１がなす文字の上端および下端とする場合よりも、当該第２のアンテナ配線３０３と時差表示５０１をなす導電性部材３０１ａとが重なる長さを多くすることができる。これによって、第１のアンテナ配線３０２と第２のアンテナ配線３０３とを確実に短絡させて、第１のアンテナ配線３０２と第２のアンテナ配線３０３との電位を確実に揃えるとともに、視認しにくい細さのアンテナ配線だけの構成と比較して、アンテナの配線抵抗を低くする、つまりは伝搬電流の損失を抑えて充分なアンテナ特性を得ることができる。
【００７７】
以上説明したように、この発明にかかる実施の形態２の時計１００は、基準時であるＵＴＣに対する時差を示す時差表示５０１によって、この発明にかかる表記部１１２を実現することを特徴としている。
【００７８】
この発明にかかる実施の形態２の時計１００によれば、時計１００の機能の実現に用いる時差表示５０１を導電性を有する材料を用いて形成し、表記部１１２とすることによって、第１のアンテナ配線３０２と第２のアンテナ配線３０３とを短絡するための部材を別途設けることなく、第１のアンテナ配線３０２と第２のアンテナ配線３０３とを短絡することができる。これにより、文字板１０３などの視認性が低下することを防止でき、美観に優れ受信性能の良好な時計１００を提供することができる。
【００７９】
＜実施の形態３＞
つぎに、この発明にかかる実施の形態３の時計１００について説明する。実施の形態３においては、上述した実施の形態１および実施の形態２と同一部分は同一符号で示し、説明を省略する。
【００８０】
図７は、この発明にかかる実施の形態３の時計１００が備える風防１０９の構成を示す説明図である。図７においては、この発明にかかる実施の形態３の風防１０９を、時計１００の正面から見た状態を示している。
【００８１】
図７において、この発明にかかる実施の形態３の時計１００は、上述した実施の形態１および実施の形態２の時計１００の文字板１０３に設けられたインデックス１０７のうち、時刻を示す数字７０１が風防１０９に設けられている。時刻を示す数字７０１は、風防１０９の裏面１０９ａに設けられている。時刻を示す数字７０１は、この発明にかかる実施の形態３の表記部１１２を実現する。
【００８２】
時刻を示す数字７０１は、上記の都市表示３０１や時差表示５０１と同様に、導電性を有する材料を用いて形成された導電性部材３０１ａによって実現される。時刻を示す数字７０１を実現する導電性部材３０１ａは、たとえば、上記のような各種の技術を用いた印刷によって、風防１０９の裏面１０９ａに設けられている。あるいは、時刻を示す数字７０１を実現する導電性部材３０１ａは、たとえば、金属製など導電性を有する材料を用いて形成されたエンブレムや、金属製など導電性を有する材料を用いて形成されたシート状部材をカッティングした部材などを風防１０９の裏面１０９ａに貼り付けるなどして設けることによって実現してもよい。
【００８３】
時刻を示す数字７０１を実現する導電性部材３０１ａは、文字板１０３や見返しリング１０４の色にかかわらず、時計１００のデザインに応じて任意の色の材料を用いて形成することができる。時刻を示す数字７０１を実現する導電性部材３０１ａは、良好な視認性を確保するため、文字板１０３や見返しリング１０４の色の反対色の材料を用いて形成することが好ましい。
【００８４】
また、文字板１０３の色と見返しリング１０４の色とが異なる場合、時刻を示す数字７０１を実現する導電性部材３０１ａは、文字板１０３および見返しリング１０４のいずれの色に対しても反対色となる色の材料を用いて形成することが好ましい。これにより、時刻を示す数字７０１の良好な視認性を確保することができる。
【００８５】
また、風防１０９の裏面１０９ａには、アンテナ配線１１１が設けられている。この実施の形態３においては、もっとも外周側のアンテナ配線１１１である第１のアンテナ配線３０２と、当該第１のアンテナ配線３０２よりも内周側のアンテナ配線１１１である第２のアンテナ配線３０３と、が設けられている。
【００８６】
時刻を示す数字７０１は、上述した都市表示３０１や時差表示５０１をなす文字どうしの間隔と比較して、数字どうしの間隔が大きく、数字どうしが離れて設けられている。このため、上述した実施の形態１や実施の形態２と比較して、第１のアンテナ配線３０２と第２のアンテナ配線３０３とが短絡される箇所が少ない。第１のアンテナ配線３０２と第２のアンテナ配線３０３とが短絡される箇所が少ないと、配線抵抗の差による電位差が顕著となりアンテナ特性に影響を与えてしまう。
【００８７】
実施の形態３の時計１００は、第１のアンテナ配線３０２と第２のアンテナ配線３０３との間に設けられたメッシュ配線７０２を備えている。メッシュ配線７０２は、たとえば金属などの導電性を有する材料によって形成されている。メッシュ配線７０２は、第１のアンテナ配線３０２と第２のアンテナ配線３０３との間において、複数、メッシュ状（網目状）に設けられている。メッシュ配線７０２は、第１のアンテナ配線３０２と第２のアンテナ配線３０３とを短絡する。
【００８８】
メッシュ配線７０２は、文字板１０３や見返しリング１０４と同系色の材料を用いて形成する。また、メッシュを構成するメッシュ配線７０２のそれぞれの太さは、たとえば、３０μｍ以下であることが好ましい。これにより、メッシュ配線７０２を見えづらくして、メッシュ配線７０２が目視されることによって美観（審美性）が低下することを防止できる。
【００８９】
メッシュ配線７０２は、導電性部材３０１ａを風防１０９の裏面１０９ａに印刷することによって設けられている。この場合、時計１００の製造に際しては、風防１０９の裏面１０９ａに対して時刻を示す数字７０１を先に印刷し、つぎにアンテナ配線１１１およびメッシュ配線７０２を印刷する。
【００９０】
アンテナ配線１１１とメッシュ配線７０２とは、それぞれ別工程において印刷してもよく、アンテナ配線１１１およびメッシュ配線７０２のパターンが設けられた版を用いて、アンテナ配線１１１とメッシュ配線７０２とを同時に風防１０９の裏面１０９ａに印刷してもよい。これにより、都市表示３０１とアンテナ配線１１１とを重複する位置に設ける場合にも、都市表示３０１の視認性を確保することができる。
【００９１】
時刻を示す数字７０１のように、文字どうしの間隔が大きい（広い）場合、表記部１１２をなす導電性部材３０１ａに加えてメッシュ配線７０２によって第１のアンテナ配線３０２と第２のアンテナ配線３０３とを短絡することにより、アンテナにおける抵抗値の増加を抑え、良好な受信性能を確保するとともに、アンテナ配線１１１を視認しにくくすることができる。
【００９２】
実施の形態３においては、メッシュ配線７０２によって第１のアンテナ配線３０２と第２のアンテナ配線３０３とを短絡する時計１００について説明したが、第１のアンテナ配線３０２と第２のアンテナ配線３０３とを短絡する部材は、メッシュ配線７０２に限るものではない。メッシュ配線７０２に代えて、メッシュパターンで設けた透明電極によって第１のアンテナ配線３０２と第２のアンテナ配線３０３とを短絡するようにしてもよい。
【００９３】
透明電極は、たとえば、ワイドギャップ半導体などを材料として用いることができる。ワイドギャップ半導体は、エネルギーギャップが紫外域に対応するため可視光を吸収せず、これによって透明となる。透明電極を用いて第１のアンテナ配線３０２と第２のアンテナ配線３０３とを短絡することによって、アンテナにおける抵抗値の増加を抑え、良好な受信性能を確保することができる。
【００９４】
この場合も、アンテナ配線１１１、すなわち、周回部およびメッシュ部を、導電性を有し、文字板１０３や見返しリング１０４と同系色の材料を用いて形成する。これにより、周回部やメッシュ部の視認性を低くし、かつ、良好な受信性能を確保することができる。このように、アンテナ配線１１１を周回部とメッシュ部とによって構成することにより、装飾性の低下を抑えて、周回部どうしの電位差を確実になくすことができる。これにより、美観に優れ受信性能の良好な時計１００を提供することができる。
【００９５】
なお、上述した実施の形態１〜３においては、アンテナ配線１１１は第１のアンテナ配線３０２と第２のアンテナ配線３０３とで構成される説明としたが、これに限定することはなく３本以上のアンテナ配線で構成されてもよく、アンテナ配線１１１の本数を増やすことによって、より配線抵抗を低くすることができる。ただし、アンテナ配線１１１を視認しにくくするためにも本数は少ないことが好ましく、上述の構成のように外周と内周の２本であることがより好ましい。
【００９６】
また、第１のアンテナ配線３０２および第２のアンテナ配線３０３の形状を同心円状であるとして説明をしたが、必ずしもこれに限定されず、表記部１１２の大きさ、形状またはデザインによっては、部分的に変形させた略同心円状としてもよく、アンテナとしての特性が得られる範囲において適宜選択することができる。
【００９７】
また、アンテナ配線１１１（第１のアンテナ配線３０２や第２のアンテナ配線３０３など）、および、表記部１１２（都市表示３０１、時差表示５０１、時刻をあらわす数字７０１など）を、風防１０９の裏面１０９ａに設ける例について説明したが、これらを設ける位置は風防１０９の裏面１０９ａに限るものではない。ケース内の任意の位置であればどこでもよく、たとえば、文字板１０３（見返しリング１０４を含む）の表面（風防１０９に対向する側の面）に設けてもよい。この場合、文字板１０３の表面にアンテナ配線１１１を形成し、次に表記部１１２である導電性部材３０１ａを形成するのが好ましい。これによっても、文字板１０３に設けられたインデックス１０７などの視認性を低下させることなく、美観に優れ受信性能の良好な時計を提供することができる。
【００９８】
上述した実施の形態１〜３においては、この発明にかかる実施の形態として、時刻を示す指針１０６を備え、当該指針１０６を用いて時刻や各種の情報を表示する時計１００に適用した例について説明したが、この発明にかかる実施の形態を実現する時計においては指針によって時刻や各種の情報表示するものに限らない。この発明にかかる時計は、時刻や各種の情報を、指針に代えて、液晶表示によって表示する時計によって実現してもよく、指針および液晶表示の両方を備えた時計によって実現してもよい。
【産業上の利用可能性】
【００９９】
以上のように、この発明にかかる時計は、電波を受信する機能を備えた時計に有用であり、特に、装飾性が要求される時計に適している。
【符号の説明】
【０１００】
１００  時計
１０１  ケース
１０１ａ  開口（表示窓）
１０３  文字板
１０６  指針
１０７  インデックス
１０９  風防
１０９ａ  裏面
１１１  アンテナ配線
１１２  表記部
３０１  都市表示
３０１ａ  導電性部材
５０１  時差表示
７０１  時刻を示す数字
７０２  メッシュ配線
【図１】
2019117198.tif 000003
【図２】
2019117198.tif 000004
【図３】
2019117198.tif 000005
【図４Ａ】
2019117198.tif 000006
【図４Ｂ】
2019117198.tif 000007
【図５】
2019117198.tif 000008
【図６】
2019117198.tif 000009
【図７】
2019117198.tif 000010